(57)【要約】【課題】ジョブを実行するに際し、特別の機構的な手段を設けることなく、原稿等の重送エラー発生による不具合を防止し得る用紙搬送装置を提供する。【解決手段】ＲＦＩＤタグ３７を添着した原稿３６をＡＤＦにセットし、原稿繰り出しで紙検知センサ２０がＯＮすると（ＳＴ１）、原稿読み取りのため搬送を開始し（ＳＴ２）、紙検知センサ２１で原稿を検知した（ＳＴ３）後、ＲＦＩＤリーダ１９で、原稿３６のＲＦＩＤタグ３７を電磁的に読み取る（ＳＴ４、ＳＴ５）。読み取ったＲＦＩＤデータから別ＩＤがあるか、つまりＩＤが複数あるか否か判定し（ＳＴ６）、ＩＤが複数の場合は原稿３６の重送であるとし、表示部７に「原稿が重送されています」を表示する（ＳＴ１１）。【選択図】      図４
2006213504.tif 000002
【特許請求の範囲】
【請求項１】
原稿あるいは記録用紙等の紙葉類の通過する経路にＲＦＩＤリーダを設け、前記経路を無線ＩＤタグ付の紙葉類が搬送されてきたときに、前記ＲＦＩＤリーダで前記無線ＩＤタグを読み出し、複数のＩＤを検出した場合に、重送エラーを判定することを特徴とする原稿画像読み取り又は画像記録用の用紙搬送装置。
【請求項２】
前記ＲＦＩＤリーダは、移動中の前記紙葉類のみを読み取る位置に配置したことを特徴とする請求項１記載の原稿画像読み取り又は画像記録用の用紙搬送装置。
【発明の詳細な説明】
【技術分野】
【０００１】
この発明は、無線ＩＤ（ＲＦＩＤ）タグ付きの原稿用紙あるいは印字用紙（記録用紙）を用いるフアクシミリ装置などの原稿画像読み取り又は画像記録用の用紙搬送装置に関する。
【背景技術】
【０００２】
近年、印字用紙にＲＦＩＤタグを設け、プリンタ機能及びフアクシミリ機能を有する複写機に、原稿用のリーダライタ及び印字用紙用のリーダライタを設け、パソコンなどの外部機器から送信されてきた文字データやグラヒックデータなどに基づいて印字用紙に視認情報を印字すると共に、デジタルデータとして記憶しておくべきデータはＲＦＩＤタグに書き込むようにすることが開示されている（例えば特許文献１参照）
また、入力絞り口と出力絞り口との間に背圧室を有するノズルを介して、加圧気体供給源から、加圧気体を紙葉類の搬送支持面に垂直に吹きつけ、出口絞りの背圧を検出して、この背圧の変化により紙葉類の空送りと重送を検出する装置が開示されている（例えば特許文献２）。
【特許文献１】特開２００２−３３７４２６号公報
【特許文献２】特許第２９０５３１２号公報
【発明の開示】
【発明が解決しようとする課題】
【０００３】
上記したように近年のフアクシミリ装置では、原稿あるいは記録用紙にＲＦＩＤタグを付設し、より多様な情報の取り扱いが可能となったが、原稿や記録用紙は、通常複数枚セットされるものであるところから時として複数枚一度に搬送され、原稿の読み飛ばしや、記録時の白紙の排出という不具合があった。このような不具合を解消するために、原稿、記録用紙などの重送エラーを検知する機能を備えておくことが望ましいが、上記した特許文献２記載の重送検出装置では、加圧気体供給源、ノズルなどの手段を要し、これを採用すると、画像処理装置全体が複雑、大型化し、コストを上昇させるという問題がある。
【０００４】
この発明は、上記問題点に着目してなされたものであって、ジョブを実行するに際し、特別の機構的な手段を設けることなく、原稿や記録用紙の重送エラー発生による不具合を防止し得る原稿画像読み取り又は画像記録用の用紙搬送装置を提供することを目的とする。
【課題を解決するための手段】
【０００５】
この発明の原稿画像読み取り又は画像記録用の用紙搬送装置は、原稿あるいは記録用紙の通過する経路にＲＦＩＤリーダを設け、前記経路を無線ＩＤ（ＲＦＩＤ）タグ付の原稿あるいは記録用紙が搬送されてきたときに、前記ＲＦＩＤリーダで前記無線ＩＤタグを読み出し、複数のＩＤを検出した場合に、重送エラーを判定することを特徴とする。
【０００６】
この発明の用紙搬送装置においては、原稿あるいは記録用紙等の紙葉類がＲＦＩＤリーダの近傍を通過すると、このＲＦＩＤリーダよって紙葉類に付設されている無線ＩＤタグのＩＤが読み取られる。この読み取ったＩＤが複数であると紙葉類が重送されていると判断する。
【０００７】
この発明の用紙搬送装置において、前記ＲＦＩＤリーダは、移動中の原稿あるいは記録用紙のみを読み取る位置に配置することが、好ましい。
【発明の効果】
【０００８】
この発明によれば、ＲＦＩＤリーダにより読み取ったＩＤが、複数の場合、重送エラーと判定でき、正しくセットし直す等の措置をとることができ、重送エラー発生による不具合を回避できる。原稿等に挟んでいる無線ＩＤタグを読み取るためのＲＦＩＤリーダは、もともと画像処理装置に備えられているので、機構的構成を特別に備えることなく重送エラーを検出できる。
【発明を実施するための最良の形態】
【０００９】
以下、実施の形態により、この発明をさらに詳細に説明する。図１は、この発明の画像形成装置の一実施形態であるフアクシミリ装置の構成を示すブロック図である。この実施形態フアクシミリ装置は、ＭＰＵ（Ｍｉｃｒｏ  Ｐｒｏｃｅｓｓｏｒ  Ｕｎｉｔ）と、ＮＣＵ（Ｎｅｔｗｏｒｋ  Ｃｏｎｔｏｒｏｌ  Ｕｎｉｔ）２と、ＭＯＤＥＭ（Ｍｏｄｕｌａｔｏｒ  Ｄｅｍｏｄｕｌａｔｏｒ）３と、ＲＯＭ（Ｒｅａｄ  Ｏｎｌｙ  Ｍｅｍｏｒｙ）４と、ＲＡＭ（Ｒａｎｄｏｍ  Ａｃｃｅｓｓ  Ｍｅｍｏｒｙ）５と、画像メモリ６と、表示部７と、操作部８と、スキャナ９と、ＣＯＤＥＣ（Ｃｏｄｅｒ  Ｄｅｃｏｄｅｒ）１０と、プリンタ１１と、ＬＡＮ−ＩＦ（Ｌｏｃａｌ  Ａｒｅａ  Ｎｅｔｗｏｒｋ−Ｉｎｔｅｒ  Ｆａｃｅ）１２と、バス１４と、を備えている。各構成部は、互いにバス１４によって、接続されている。
【００１０】
ＭＰＵ１は、ＲＯＭ４に格納するプログラムに従い、この装置を構成する各部を制御する機能を有する。ＮＣＵ２は、電話回線網（ＰＳＴＮ）２２との接続を制御するとともに、相手先の電話番号（ＦＡＸ番号を含む）に対応した選択（ダイヤル）信号を送出する機能、及び呼出信号を検出するための機能を備えている。ＭＯＤＥＭ３は，ＩＴＵ(国際電気通信連合)―Ｔ勧告Ｔ．３０に従ったフアクシミリ伝送制御手順に基づいて、Ｖ．１７、Ｖ．２７ｔｅｒ、Ｖ．29等に従った送信データの変調及び受信データの復調を行う。あるいは、これらに加えてＶ．３４に従った送信データの変調及び受信データの復調を行う。
【００１１】
ＲＯＭ４は、この装置を制御するためのプログラムを記憶する。ＲＡＭ５はＭＰＵ１が処理するデータ等を一時的に記憶する。ＲＡＭ５は、後述のＲＦＩＤタグ３７から読み取ったデータを一時的に記憶する。画像メモリ６は、受信した画像データやスキャナ９で読み取った画像データを記憶する。表示部７は、装置からオペレータへの伝達情報等を表示する。操作部８は、テンキー、ＦＡＸキー，ＣＯＰＹキー、スタートキー、ワンタッチキーなどの操作スイッチを有する。
【００１２】
スキャナ９は、ＦＡＸ送信するとき、又はコピーするときに、原稿の画像を読み取る。このスキャナ９には、読み取り光学系を駆動するためのモータ１５と、このモータ１５を駆動制御するスキャナ機構駆動回路１６と、原稿を読み取るためのＣＣＤセンサ１７と、このＣＣＤセンサ１７の読み取り画像信号を画像処理する画像処理回路１８を備えるほか、ＲＦＩＤタグ３７のデータを読み取るためのＲＦＩＤリーダ１９、紙検知センサ（ＤＳ１）２０、及び紙検知センサ（ＤＳ２）２１を備えている。
【００１３】
ＣＯＤＥＣ１０は、読み取った画像データを送信するために、ＭＨ，ＭＲ，ＭＭＲ方式等により符号化（エンコード）し、受信した画像データを復号する。プリンタ１１は、複写時にスキャナ９で読み取られた画像データ、フアクシミリ受信した受信画像データ、外部機器であるＰＣ（Ｐｅｒｓｏｎａｌ  Ｃｏｍｐｕｔｅｒ）等から伝送されてきたプリントデータをプリントする。ＬＡＮ−ＩＦ１２は，ＬＡＮを介してＰＣなどの外部機器に接続され、ここより外部機器とのデータ授受を行う。
【００１４】
この実施形態フアクシミリ装置において、使用される原稿は、図２に示すように、文字や図柄などが印刷された原稿面３６ａの右上方にＲＦＩＤタグ３７が付設されている。このＲＦＩＤタグ３７は、裏面に粘着済を塗布したシール状のものであり、原稿３６の上端部に添着されている。原稿３６への添着部は他の箇所であってもよい。ＲＦＩＤタグ３７内には、資料番号等のＩＤ、その他のデータが記憶されている。
【００１５】
また、スキャナ９においては、図３に示すように、原稿セット部３１の原稿送出側に、紙検知センサ（ＤＳ１）２０が設けられ、搬送ローラ３４，３５の後方に、紙検知センサ（ＤＳ２）２１とＲＦＩＤリーダ１９が配置されている。ＲＦＩＤリーダ１９は、搬送されてきた原稿のＲＦＩＤタグ３７のみを読み取り可能で、原稿セット部３１にある原稿３６のＩＤの読み取りが不可である方向性を持つか、あるいは原稿セット部３１まで通信可能領域が届かない位置、感度に設置されることが望ましい。
【００１６】
原稿セット部３１より導入された原稿３６は、紙検知センサ（ＤＳ１）２０によって検出され、ピックアップローラ３２でリタードローラ３３ａ，３３ｂに案内され、このリタードローラ３３ａ，３３ｂより搬送ローラ３４，35の方に送られる。そして原稿３６は紙検知センサ（ＤＳ２）２１で検出され、また原稿３６にＲＦＩＤタグ３７が付設されていると、ＲＦＩＤリーダ１９によって、その原稿３６のＩＤ等の記憶内容が検出される。この、実施形態フアクシミリ装置では、ＲＦＩＤリーダ１９で検出したＩＤが、複数の場合に重送エラーであると判定し、その旨を表示すると共に、以後の原稿読み取りを停止する。また、原稿３６は、ＣＣＤセンサ１７による光学的読み取り位置となるコンタクトガラス３８を経て、搬出ローラ３９，４０により、排出される。
【００１７】
次に、実施形態フアクシミリ装置により、原稿読み取り時の処理動作を、図４を参照して説明する。コピーキーが操作されるなどにより、処理が開始されると、まずスッテプＳＴ１で、紙検知センサ（ＤＳ１）２０がＯＮか否か判定する。紙原稿セット部３１の原稿３６が、繰り出され、紙検知センサ（ＤＳ１）２０がＯＮすると、次にステップＳＴ２に移行する。一方、紙検知センサ（ＤＳ１）２０がＯＮしないと、原稿セット部３１の原稿３６が繰り出されていないことになり、ここでの処理を終了する。
【００１８】
ステップＳＴ２においては、スキャナ機構駆動回路１６により、モータ１５をＯＮし、ピックアップローラ３２、リタードローラ３３ａ，３３ｂ、および搬送ローラ３４，３５を回転させ、原稿３６の搬送を開始する。次にステップＳＴ３に移行する。
【００１９】
ステップＳＴ３においては、紙検知センサ（ＤＳ２）２１がＯＮか否かを判定する。原稿３６の先端が、搬送によって、まだ紙検知センサ（ＤＳ２）２１の位置に到達していず、紙検知センサ（ＤＳ２）２１がＯＦＦの場合は、ステップＳＴ９へ移行する。一方、原稿３６の先端が紙検知センサ（ＤＳ２）２１の位置に到達すると、紙検知センサ（ＤＳ２）２１がＯＮする。そのため、続いて、ステップＳＴ４へ移行する。
【００２０】
ステップＳＴ４においては、ＲＦＩＤリーダ１９において、ＲＦＩＤ検出か否か判定する。搬送された原稿３６がＲＦＩＤタグ３７付きであると、そのＩＤが読み取られる。ＩＤが検出されると、ステップＳＴ５へ移行する。一方，ＩＤが検出されない場合は、ステップＳＴ５，ＳＴ６をスキップしてステップＳＴ７へ移行する。ステップＳＴ５においては、読み取ったＩＤ等のデータをＲＡＭ５に記憶する。次に、ステップＳＴ６へ移行する。
【００２１】
ステップＳＴ６においては、ＲＦＩＤリーダ１９により、別ＲＦＩＤを検出したか、つまり読み取ったＩＤが、複数か否か判定する。原稿３６が一枚ずつ重送なく、繰り出されている場合は、ＩＤの個数が１であり、この場合は、ステップＳＴ７へ移行する。一方、原稿３６が一度に複数枚繰り出され、搬送された場合は別ＲＦＩＤが検出される、つまり複数のＩＤが検出される。この複数のＩＤ検出は原稿３６の重送検出を意味する。そのため、この場合は、ステップＳＴ１１へ移行する。
【００２２】
ステップＳＴ７においては、搬送中の原稿がＲＦＩＤタグ３７の付いていないものであるか、あるいはＲＦＩＤタグ付きの一枚の原稿であるため、ＣＣＤセンサ１７により原稿３６の原稿部３６ａの光学的な読み取りを行う。
【００２３】
ステップＳＴ１１においては、複数のＩＤ検出後の処理なので、表示部７に、「原稿が重送されています。」の表示を行う。そして、読み取りを行うことなく処理を終了する。ユーザは、表示部７の表示を見て、重送エラーに気づき、再読み取りを、試みることができる。
【００２４】
ステップＳＴ９においては、紙検知センサ（ＤＳ１）２０がＯＮした時点でスタートしたタイマがタイムアップしたか否かを判定する。紙検知センサ（ＤＳ１）２０がＯＮしたにもかかわらず、その後所定時間経過しても、紙検知センサ（ＤＳ２）２１がＯＮせず、タイマがタイムアップステップスルと、ステップＳＴ１０へ移行する。ステップＳＴ１０においては、紙ジャムを起こしているものとし、表示部７に「紙詰まりです。」を表示する。
なお、上記実施形態では、原稿の重送エラーを検出する場合について説明したが、この発明は、記録用紙にＲＦＩＤタグが付設されている場合で、記録用紙の重送エラーを検出する場合にも、同様に適用できる。この場合には、記録用紙の搬送路に、図３に示したと同様の検知センサ（ＤＳ１）２０、紙検知センサ（ＤＳ２）２１、ＲＦＩＤリーダ１９を設け、図４に示すと同様の処理を実行すればよい。記録用紙の重送が検出されたときに、表示部７に「記録紙が重送されています」と表示される。
【図面の簡単な説明】
【００２５】
【図１】この発明が、実施されるフアクシミリ装置の概略構成を示すブロック図である。
【図２】この発明の実施に使用されるＲＦＩＤタグ付きの原稿を説明する図である。
【図３】上記実施形態フアクシミリ装置の原稿セット部の搬送路の概略を示す図である。
【図４】同フアクシミリ装置の原稿読み取り処理を説明するフロー図である。
【符号の説明】
【００２６】
１                        ＭＰＵ
２                        ＮＣＵ
３                        ＭＯＤＥＭ
４                        ＲＯＭ
５                        ＲＡＭ
６                        画像メモリ
７                        表示部
８                        操作部
９                        スキャナ
１０                      ＣＯＤＥＣ
１１                      プリンタ
１２                      ＬＡＮ−ＩＦ
１４                      バス
１５                      モータ
１６                      スキャナ機構駆動回路
１７                      ＣＣＤセンサ
１８                      画像処理回路
１９                      ＲＦＩＤリーダ
２０，２１                紙検知センサ
３６                      原稿
３７                      ＲＦＩＤタグ
【図１】
2006213504.tif 000003
【図２】
2006213504.tif 000004
【図３】
2006213504.tif 000005
【図４】
2006213504.tif 000006